(57)【要約】      （修正有）【課題】ユーザの操作の手間を軽減しながら、記憶容量を節約し、適切な番組を録画することができる視聴録画装置、視聴録画方法および視聴録画プログラムを提供する。【解決手段】視聴録画装置は、ユーザによる番組の視聴行為を示す行為情報を取得する行為情報取得部と、行為情報取得部によって取得された行為情報に基づいて、前記ユーザによる番組の視聴を判定する判定処理を行う視聴判定部と、視聴判定部の判定結果に応じて、将来録画すべき番組を選択する録画番組選択部と、録画番組を保存する記憶媒体の容量制限に応じて録画番組を記憶媒体から消去する消去処理を行う消去制御部と、記憶媒体に保存された録画番組を出力する出力部とを備える。【選択図】図２
2019134373.tif 000002
【特許請求の範囲】
【請求項１】
ユーザによる番組の視聴行為を示す行為情報を取得する行為情報取得部と、
前記行為情報取得部によって取得された前記行為情報に基づいて、前記ユーザによる番組の視聴を判定する判定処理を行う視聴判定部と、
前記視聴判定部の判定結果に応じて、将来録画すべき番組を選択する録画番組選択部と、
録画番組を保存する記憶媒体の容量制限に応じて前記録画番組を前記記憶媒体から消去する消去処理を行う消去制御部と、
前記記憶媒体に保存された前記録画番組を出力する出力部とを備える、視聴録画装置。
【請求項２】
前記視聴行為は、放送波に含まれる番組の視聴行為、ＤＬＮＡ（Ｄｉｇｉｔａｌ  Ｌｉｖｉｎｇ  Ｎｅｔｗｏｒｋ  Ａｌｌｉａｎｃｅ）配信される番組の視聴行為、および再生される前記録画番組の視聴行為のうちの少なくともいずれか１つである、請求項１に記載の視聴録画装置。
【請求項３】
前記視聴判定部は、番組のうちの視聴された割合に基づいて前記判定処理を行う、請求項１または請求項２に記載の視聴録画装置。
【請求項４】
番組は、複数の区間に区分けされており、
前記視聴判定部は、前記複数の区間の一部である対象区間のうちの視聴された割合に基づいて前記判定処理を行う、請求項３に記載の視聴録画装置。
【請求項５】
前記視聴録画装置は、さらに、
番組に関するユーザの積極的な指定内容および消極的な指定内容の少なくともいずれか一方を示す指定情報を取得し、取得した前記指定情報を前記録画番組選択部および前記消去制御部の少なくともいずれか一方に与える指定情報取得部を備える、請求項１から請求項４のいずれか１項に記載の視聴録画装置。
【請求項６】
前記消去制御部は、前記行為情報取得部によって取得された前記行為情報に基づいて前記消去処理を行う、請求項１から請求項５のいずれか１項に記載の視聴録画装置。
【請求項７】
前記視聴録画装置は、さらに、
番組を視聴中であるユーザの好みの指定を受け付け、前記好みを示す嗜好情報を前記録画番組選択部および前記消去制御部の少なくともいずれか一方に与える嗜好取得部を備える、請求項１から請求項６のいずれか１項に記載の視聴録画装置。
【請求項８】
前記視聴録画装置は、録画番組のデータベース、予約番組のデータベース、放送番組のデータベース、番組のジャンル指定またはキーワード指定のデータベース、および番組の視聴状況のデータベースを有する、請求項１から請求項７のいずれか１項に記載の視聴録画装置。
【請求項９】
視聴録画装置における視聴録画方法であって、
ユーザによる番組の視聴行為を示す行為情報を取得するステップと、
取得した前記行為情報に基づいて、前記ユーザによる番組の視聴を判定する判定処理を行うステップと、
判定結果に応じて、将来録画すべき番組を選択するステップと、
録画番組を保存する記憶媒体の容量制限に応じて前記録画番組を前記記憶媒体から消去する消去処理を行うステップと、
前記記憶媒体に保存された前記録画番組を出力するステップとを含む、視聴録画方法。
【請求項１０】
視聴録画装置において用いられる視聴録画プログラムであって、
コンピュータを、
ユーザによる番組の視聴行為を示す行為情報を取得する行為情報取得部と、
前記行為情報取得部によって取得された前記行為情報に基づいて、前記ユーザによる番組の視聴を判定する判定処理を行う視聴判定部と、
前記視聴判定部の判定結果に応じて、将来録画すべき番組を選択する録画番組選択部と、
録画番組を保存する記憶媒体の容量制限に応じて前記録画番組を前記記憶媒体から消去する消去処理を行う消去制御部と、
前記記憶媒体に保存された前記録画番組を出力する出力部、
として機能させるための、視聴録画プログラム。
【発明の詳細な説明】
【技術分野】
【０００１】
本発明は、視聴録画装置、視聴録画方法および視聴録画プログラムに関する。
【背景技術】
【０００２】
従来、放送番組等を録画するための装置が開発されている。たとえば、非特許文献１（”パナソニックのブルーレイ／ＤＶＤレコーダーの特長”、［ｏｎｌｉｎｅ］、［平成２９年１１月７日検索］、インターネット〈ＵＲＬ：ｈｔｔｐ：／／ｐａｎａｓｏｎｉｃ．ｊｐ／ｄｉｇａ／ｆｅａｔｕｒｅ／ｒｅｃ．ｈｔｍｌ〉）には、全番組を自動で録画する機能、およびハードディスク容量の不足を考慮して、自動で録画した番組を消去する機能が開示されている。
【０００３】
また、非特許文献２（”好みの番組を自動で探して録画してほしい（ｘ−おまかせ・まる録）”、［ｏｎｌｉｎｅ］、［平成２９年１１月７日検索］、インターネット〈ＵＲＬ：ｈｔｔｐｓ：／／ｗｗｗ．ｓｏｎｙ．ｊｐ／ｓｕｐｐｏｒｔ／ｂｄ／ｍａｎｕａｌ／２０１２／ｒｅｃ／ｏｍａｋａｓｅ．ｈｔｍｌ〉）には、事前にジャンル、キーワードおよび除外ワードを登録しておくと、条件に合った番組を自動で録画する機能が開示されている。
【０００４】
また、番組表で選んだ番組を予約すると、以降は予約したチャンネル、時間帯および番組名等から次回の放送番組を自動検索して予約する、「探して毎回予約」機能も提供されている。
【先行技術文献】
【非特許文献】
【０００５】
【非特許文献１】”パナソニックのブルーレイ／ＤＶＤレコーダーの特長”、［ｏｎｌｉｎｅ］、［平成３０年１月１５日検索］、インターネット〈ＵＲＬ：ｈｔｔｐ：／／ｐａｎａｓｏｎｉｃ．ｊｐ／ｄｉｇａ／ｆｅａｔｕｒｅ／ｒｅｃ．ｈｔｍｌ〉
【非特許文献２】”好みの番組を自動で探して録画してほしい（ｘ−おまかせ・まる録）”、［ｏｎｌｉｎｅ］、［平成３０年１月１５日検索］、インターネット〈ＵＲＬ：ｈｔｔｐｓ：／／ｗｗｗ．ｓｏｎｙ．ｊｐ／ｓｕｐｐｏｒｔ／ｂｄ／ｍａｎｕａｌ／２０１２／ｒｅｃ／ｏｍａｋａｓｅ．ｈｔｍｌ〉
【発明の概要】
【発明が解決しようとする課題】
【０００６】
非特許文献１に記載の技術では、全番組を録画していることから録画番組の数が膨大になってしまい、ユーザが本当に好む番組を見つけることが困難である。
【０００７】
非特許文献２に記載の技術では、ジャンル、キーワードおよび除外ワードといった客観的な情報のみで番組が選択されることから、たとえば、ジャンルおよびキーワードは自分の好みに一致している一方で、その他の要素が著しくユーザの好みに合っていなかったり、品質が低い番組を録画してしまったりする場合があり、ユーザが本当に好む番組を見つけることが困難である。
【０００８】
また、「探して毎回予約」では、ユーザは、ある番組の視聴後に当該番組を気に入った場合、装置に登録する必要があり、操作が煩雑となる。また、番組を実際に視聴する前に登録する場合、期待通りの番組でない可能性がある。
【０００９】
この発明は、上述の課題を解決するためになされたもので、その目的は、番組の録画に関する優れた機能を実現することが可能な視聴録画装置、視聴録画方法および視聴録画プログラムを提供することである。
【課題を解決するための手段】
【００１０】
（１）上記課題を解決するために、この発明のある局面に係わる視聴録画装置は、ユーザによる番組の視聴行為を示す行為情報を取得する行為情報取得部と、前記行為情報取得部によって取得された前記行為情報に基づいて、前記ユーザによる番組の視聴を判定する判定処理を行う視聴判定部と、前記視聴判定部の判定結果に応じて、将来録画すべき番組を選択する録画番組選択部と、録画番組を保存する記憶媒体の容量制限に応じて前記録画番組を前記記憶媒体から消去する消去処理を行う消去制御部と、前記記憶媒体に保存された前記録画番組を出力する出力部とを備える。
【００１１】
（９）上記課題を解決するために、この発明のある局面に係わる視聴録画方法は、視聴録画装置における視聴録画方法であって、ユーザによる番組の視聴行為を示す行為情報を取得するステップと、取得した前記行為情報に基づいて、前記ユーザによる番組の視聴を判定する判定処理を行うステップと、判定結果に応じて、将来録画すべき番組を選択するステップと、録画番組を保存する記憶媒体の容量制限に応じて前記録画番組を前記記憶媒体から消去する消去処理を行うステップと、前記記憶媒体に保存された前記録画番組を出力するステップとを含む。
【００１２】
（１０）上記課題を解決するために、この発明のある局面に係わる視聴録画プログラムは、視聴録画装置において用いられる視聴録画プログラムであって、コンピュータを、ユーザによる番組の視聴行為を示す行為情報を取得する行為情報取得部と、前記行為情報取得部によって取得された前記行為情報に基づいて、前記ユーザによる番組の視聴を判定する判定処理を行う視聴判定部と、前記視聴判定部の判定結果に応じて、将来録画すべき番組を選択する録画番組選択部と、録画番組を保存する記憶媒体の容量制限に応じて前記録画番組を前記記憶媒体から消去する消去処理を行う消去制御部と、前記記憶媒体に保存された前記録画番組を出力する出力部、として機能させるためのプログラムである。
【００１３】
本発明は、視聴録画装置の一部または全部を実現する半導体集積回路として実現したり、視聴録画装置を含むシステムとして実現したりすることができる。
【発明の効果】
【００１４】
本発明によれば、番組の録画に関する優れた機能を実現することができる。
【図面の簡単な説明】
【００１５】
【図１】図１は、本発明の実施の形態に係る視聴録画装置の構成を示す図である。
【図２】図２は、本発明の実施の形態に係る視聴録画装置の詳細な構成を示す図である。
【図３】図３は、本発明の実施の形態に係る視聴録画装置における各データベースの内容の一例を示す図である。
【図４】図４は、本発明の実施の形態に係る視聴録画装置が予約録画番組を登録する際の動作手順を定めたフローチャートである。
【図５】図５は、本発明の実施の形態に係る視聴録画装置が番組の自動録画を行う際の動作手順を定めたフローチャートである。
【図６】図６は、本発明の実施の形態に係る視聴録画装置が番組の自動消去を行う際の動作手順を定めたフローチャートである。
【発明を実施するための形態】
【００１６】
最初に、本発明の実施形態の内容を列記して説明する。
【００１７】
（１）本発明の実施の形態に係る視聴録画装置は、ユーザによる番組の視聴行為を示す行為情報を取得する行為情報取得部と、前記行為情報取得部によって取得された前記行為情報に基づいて、前記ユーザによる番組の視聴を判定する判定処理を行う視聴判定部と、前記視聴判定部の判定結果に応じて、将来録画すべき番組を選択する録画番組選択部と、録画番組を保存する記憶媒体の容量制限に応じて前記録画番組を前記記憶媒体から消去する消去処理を行う消去制御部と、前記記憶媒体に保存された前記録画番組を出力する出力部とを備える。
【００１８】
このように、ユーザによる番組の視聴行為から当該番組の視聴行為を判定し、録画予約すべき番組を判定結果に応じて選択するとともに、記憶媒体の容量制限に応じて録画番組を削除する構成により、記憶媒体の容量制限がある中で、ある程度の録画の無駄を許容してユーザの操作の手間を軽減しながら、記憶容量を節約し、適切な番組を録画することができる。したがって、番組の録画に関する優れた機能を実現することができる。
【００１９】
（２）好ましくは、前記視聴行為は、放送波に含まれる番組の視聴行為、ＤＬＮＡ配信される番組の視聴行為、および再生される前記録画番組の視聴行為のうちの少なくともいずれか１つである。
【００２０】
このような構成により、各種放送の視聴シーンにおいて、適切な番組を録画予約することができる。
【００２１】
（３）好ましくは、前記視聴判定部は、番組のうちの視聴された割合に基づいて前記判定処理を行う。
【００２２】
このような構成により、ユーザによる番組の視聴をより適切に判定することができる。
【００２３】
（４）より好ましくは、番組は、複数の区間に区分けされており、前記視聴判定部は、前記複数の区間の一部である対象区間のうちの視聴された割合に基づいて前記判定処理を行う。
【００２４】
このような構成により、番組の各区間の内容の別を考慮した適切な視聴判定を行うことができる。
【００２５】
（５）好ましくは、前記視聴録画装置は、さらに、番組に関するユーザの積極的な指定内容および消極的な指定内容の少なくともいずれか一方を示す指定情報を取得し、取得した前記指定情報を前記録画番組選択部および前記消去制御部の少なくともいずれか一方に与える指定情報取得部を備える。
【００２６】
このような構成により、選択処理または消去処理を、たとえばジャンル指定またはキーワード指定に応じてより適切に行うことができる。
【００２７】
（６）好ましくは、前記消去制御部は、前記行為情報取得部によって取得された前記行為情報に基づいて前記消去処理を行う。
【００２８】
このような構成により、ユーザによる番組の視聴の判定結果に応じて、消去すべき録画番組をより適切に選択することができる。
【００２９】
（７）好ましくは、前記視聴録画装置は、さらに、番組を視聴中であるユーザの好みの指定を受け付け、前記好みを示す嗜好情報を前記録画番組選択部および前記消去制御部の少なくともいずれか一方に与える嗜好取得部を備える。
【００３０】
このような構成により、選択処理または消去処理を、ユーザからの好みの指定に応じてより適切に行うことができる。
【００３１】
（８）好ましくは、前記視聴録画装置は、録画番組のデータベース、予約番組のデータベース、放送番組のデータベース、番組のジャンル指定またはキーワード指定のデータベース、および番組の視聴状況のデータベースを有する。
【００３２】
このように、各種データベースを用いる構成により、判定処理を含む各種処理を良好に行うことができる。
【００３３】
（９）本発明の実施の形態に係る視聴録画方法は、視聴録画装置における視聴録画方法であって、ユーザによる番組の視聴行為を示す行為情報を取得するステップと、取得した前記行為情報に基づいて、前記ユーザによる番組の視聴を判定する判定処理を行うステップと、判定結果に応じて、将来録画すべき番組を選択するステップと、録画番組を保存する記憶媒体の容量制限に応じて前記録画番組を前記記憶媒体から消去する消去処理を行うステップと、前記記憶媒体に保存された前記録画番組を出力するステップとを含む。
【００３４】
このように、ユーザによる番組の視聴行為から当該番組の視聴行為を判定し、録画予約すべき番組を判定結果に応じて選択するとともに、記憶媒体の容量制限に応じて録画番組を削除する方法により、記憶媒体の容量制限がある中で、ある程度の録画の無駄を許容してユーザの操作の手間を軽減しながら、記憶容量を節約し、適切な番組を録画することができる。したがって、番組の録画に関する優れた機能を実現することができる。
【００３５】
（１０）本発明の実施の形態に係る視聴録画プログラムは、視聴録画装置において用いられる視聴録画プログラムであって、コンピュータを、ユーザによる番組の視聴行為を示す行為情報を取得する行為情報取得部と、前記行為情報取得部によって取得された前記行為情報に基づいて、前記ユーザによる番組の視聴を判定する判定処理を行う視聴判定部と、
前記視聴判定部の判定結果に応じて、将来録画すべき番組を選択する録画番組選択部と、
録画番組を保存する記憶媒体の容量制限に応じて前記録画番組を前記記憶媒体から消去する消去処理を行う消去制御部と、前記記憶媒体に保存された前記録画番組を出力する出力部、として機能させるためのプログラムである。
【００３６】
このように、ユーザによる番組の視聴行為から当該番組の視聴行為を判定し、録画予約すべき番組を判定結果に応じて選択するとともに、記憶媒体の容量制限に応じて録画番組を削除する構成により、記憶媒体の容量制限がある中で、ある程度の録画の無駄を許容してユーザの操作の手間を軽減しながら、記憶容量を節約し、適切な番組を録画することができる。したがって、番組の録画に関する優れた機能を実現することができる。
【００３７】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３８】
図１は、本発明の実施の形態に係る視聴録画装置の構成を示す図である。
【００３９】
図１を参照して、視聴録画装置１０１は、たとえばＳＴＢ（Ｓｅｔ  Ｔｏｐ  Ｂｏｘ）であり、デジタル放送によるコンテンツ、およびＶＯＤ（Ｖｉｄｅｏ  Ｏｎ  Ｄｅｍａｎｄ）等のＩＰ放送によるコンテンツを受信し、受信したコンテンツの録画および再生を行うことが可能である。
【００４０】
視聴録画装置１０１は、たとえば、コンテンツが複数のパケットに分割されたストリームを受信し、表示装置においてコンテンツを再生する。
【００４１】
より詳細には、視聴録画装置１０１は、受信部１１と、処理部１２と、記憶部１３とを備える。なお、記憶部１３は、視聴録画装置１０１の外部に設けられてもよい。
【００４２】
受信部１１は、アンテナ経由、またはインターネット等のネットワーク経由でストリームを取得する。より詳細には、受信部１１は、ストリームを構成する放送パケットの受信処理を行い、処理部１２へ出力する。
【００４３】
ストリームは、たとえば、音声情報、映像情報、ＥＰＧ（Ｅｌｅｃｔｒｏｎｉｃ  Ｐｒｏｇｒａｍ  Ｇｕｉｄｅ）情報、字幕情報およびＳＩ情報（Ｓｅｒｖｉｃｅ  Ｉｎｆｏｒｍａｔｉｏｎ）等を含む。
【００４４】
処理部１２は、受信部１１から受けた放送パケットを記憶部１３に保存する。また、処理部１２は、コンテンツを出力する処理を行う。より詳細には、処理部１２は、たとえば、記憶部１３に保存した情報等を用いてコンテンツを再生する処理を行い、得られた映像情報および音声情報等を表示装置へ送信する。また、処理部１２は、たとえば、記憶部１３に保存した放送パケット、または当該放送パケットに基づくパケットを他の装置に配信する。
【００４５】
図２は、本発明の実施の形態に係る視聴録画装置の詳細な構成を示す図である。
【００４６】
図２を参照して、視聴録画装置１０１は、リモコン信号受信部４１と、ＲＦ放送受信部４２と、ＩＰ放送受信部４３と、録画消去判定／消去部４４と、録画部４５と、録画予約部４６と、放送視聴／配信部４７と、録画再生／配信部４８と、視聴判定部４９とを備える。なお、視聴録画装置１０１は、記憶媒体の一例であるＨＤＤ（Ｈａｒｄ  Ｄｉｓｋ  Ｄｒｉｖｅ）１８１を備える構成であってもよい。
【００４７】
リモコン信号受信部４１、ＲＦ放送受信部４２およびＩＰ放送受信部４３は、図１に示す受信部１１に含まれる。録画消去判定／消去部４４、録画部４５、録画予約部４６、放送視聴／配信部４７、録画再生／配信部４８および視聴判定部４９は、図１に示す処理部１２に含まれる。
【００４８】
録画ＤＢ５１、番組情報ＤＢ５２、予約管理ＤＢ５３、自動録画設定情報ＤＢ５４および視聴番組管理ＤＢ５５は、図１に示す記憶部１３に保存されている。
【００４９】
ＲＦ放送受信部４２は、アンテナ経由でストリームを受信する、すなわちストリームを構成する放送パケットを取得し、記憶部１３に保存する。
【００５０】
ＩＰ放送受信部４３は、ネットワーク経由でストリームを受信する、すなわちストリームを構成する放送パケットを取得し、記憶部１３に保存する。
【００５１】
リモコン信号受信部４１は、リモコン１６１におけるリモコン操作部６１からリモコン信号を受信し、受信したリモコン信号に含まれる、ユーザの操作を示す操作情報を録画消去判定／消去部４４、録画部４５、録画予約部４６、放送視聴／配信部４７へ出力する。
【００５２】
録画部４５は、リモコン信号受信部４１から受けた操作情報、または録画予約部４６から受けた録画指示に従ってＲＦ放送受信部４２またはＩＰ放送受信部４３を制御することにより、操作情報の示す番組に対応する放送パケットを取得し、コンテンツファイルとしてＨＤＤ１８１に保存するとともに、当該番組に関する録画情報を録画ＤＢ５１に登録し、かつ録画消去判定／消去部４４へ出力する録画処理を行う。
【００５３】
録画予約部４６は、リモコン信号受信部４１から受けた操作情報に従い、番組情報ＤＢ５２に登録されている番組表を参照し、操作情報の示す番組に関する情報を予約管理ＤＢ５３および自動録画設定情報ＤＢ５４に登録する。また、録画予約部４６は、予約管理ＤＢ５３を参照し、当該番組の開始時間に従って録画部４５へ録画指示を出力することにより、当該番組を録画する。
【００５４】
放送視聴／配信部４７は、放送番組を再生する。より詳細には、放送視聴／配信部４７は、リモコン信号受信部４１から受けた操作情報に従ってＲＦ放送受信部４２またはＩＰ放送受信部４３を制御することにより、操作情報の示す番組に対応する放送パケットを取得し、取得した放送パケットに含まれる情報等を用いてコンテンツを再生する処理を行い、得られた映像情報および音声情報等を表示装置へ送信する。
【００５５】
また、放送視聴／配信部４７は、放送番組を配信する。より詳細には、放送視聴／配信部４７は、たとえばＤＬＮＡ（登録商標）（Ｄｉｇｉｔａｌ  Ｌｉｖｉｎｇ  Ｎｅｔｗｏｒｋ  Ａｌｌｉａｎｃｅ）規格に従うＤＭＳ（Ｄｉｇｉｔａｌ  Ｍｅｄｉａ  Ｓｅｒｖｅｒ）として動作する。
【００５６】
すなわち、放送視聴／配信部４７は、ＤＬＮＡ規格に従うＤＭＰ（Ｄｉｇｉｔａｌ  Ｍｅｄｉａ  Ｐｌａｙｅｒ）１７１における放送配信要求部６３から受信した要求情報に従ってＲＦ放送受信部４２またはＩＰ放送受信部４３を制御することにより、要求情報の示す番組に対応する放送パケットを取得し、ＤＬＮＡ規格に従い、当該放送パケットをＤＭＰ１７１へ配信する処理を行う。
【００５７】
録画再生／配信部４８は、録画番組を出力する出力部として、ＨＤＤ１８１に保存された録画番組を配信する。より詳細には、録画再生／配信部４８は、たとえばＤＬＮＡ規格に従うＤＭＳとして動作する。すなわち、録画再生／配信部４８は、ＤＬＮＡ規格に従うＤＭＰ１７１における録画配信要求部６２から受信した要求情報に従い、ＨＤＤ１８１から要求情報の示す番組に対応する放送パケットを取得し、ＤＬＮＡ規格に従い、放送パケットをＤＭＰ１７１へ配信する処理を行う。また、録画再生／配信部４８は、たとえばＤＭＰ１７１からの要求情報の示す番組の消去指示を録画消去判定／消去部４４へ出力する。
【００５８】
録画消去判定／消去部４４は、リモコン信号受信部４１から受けた操作情報または録画再生／配信部４８から受けた消去指示に従い、操作情報または消去指示の示す番組に対応する放送パケットをＨＤＤ１８１から消去する。
【００５９】
放送視聴／配信部４７および録画再生／配信部４８は、行為情報取得部として、ユーザによる番組の視聴行為を示す行為情報を取得する。
【００６０】
たとえば、視聴行為は、上述のように、放送波に含まれる番組の視聴行為、ＤＬＮＡ配信される番組の視聴行為、および再生される録画番組の視聴行為である。
【００６１】
より詳細には、視聴番組管理ＤＢ５５には、ユーザによる番組の視聴行為を示す行為情報が登録されている。放送視聴／配信部４７は、リモコン信号受信部４１から受けた操作情報またはＤＭＰ１７１における放送配信要求部６３から受信した要求情報に基づいて、視聴番組管理ＤＢ５５に新たな情報を登録するか、または視聴番組管理ＤＢ５５を更新する。
【００６２】
また、録画再生／配信部４８は、リモコン信号受信部４１から受けた操作情報またはＤＭＰ１７１における録画配信要求部６２から受信した要求情報に基づいて、視聴番組管理ＤＢ５５に新たな情報を登録するか、または視聴番組管理ＤＢ５５を更新する。
【００６３】
視聴判定部４９は、放送視聴／配信部４７または録画再生／配信部４８によって取得された行為情報に基づいて、ユーザによる番組の視聴を判定する判定処理を行う。視聴判定部４９は、判定結果を示す判定情報を録画予約部４６へ出力する。
【００６４】
たとえば、視聴判定部４９は、番組のうちの視聴された割合に基づいて判定処理を行う。
【００６５】
具体的には、視聴判定部４９は、たとえば番組の放送時間の９０％以上が視聴された場合、ユーザが当該番組を実質的に視聴したと判断する。
【００６６】
また、たとえば、番組は、複数の区間に区分けされている。視聴判定部４９は、当該複数の区間の一部である対象区間のうちの視聴された割合に基づいて判定処理を行う。
【００６７】
具体的には、視聴判定部４９は、たとえば番組のエンドロール部分の区間を除く対象区間のうちの９０％以上が視聴された場合、ユーザが当該番組を実質的に視聴したと判断する。
【００６８】
録画予約部４６は、録画番組選択部として、視聴判定部４９の判定結果に応じて、将来録画すべき番組すなわち自動録画すべき番組を選択する選択処理を行う。
【００６９】
より詳細には、録画予約部４６は、視聴判定部４９から判定情報を受けて、番組情報ＤＢ５２に登録されている番組表を参照し、判定情報の示す番組に関する情報を予約管理ＤＢ５３に登録する。
【００７０】
たとえば、録画予約部４６は、番組情報ＤＢ５２に登録されている番組表を参照し、視聴判定部４９から受けた判定情報の示す番組のタイトルから当該番組がドラマ等の連続番組であるか否かを判断する。なお、録画予約部４６は、たとえばイベント情報テーブル（ＥＩＴ）におけるシリーズ記述子から連続番組であるか否かを判断する構成であってもよい。
【００７１】
そして、録画予約部４６は、視聴判定部４９から受けた判定情報の示す番組のうち、連続番組に関する情報を選択的に予約管理ＤＢ５３に登録する。
【００７２】
なお、録画対象は、連続番組に限らず、ニュース番組およびバラエティ番組等であってもよい。
【００７３】
録画消去判定／消去部４４は、消去制御部として、録画番組を保存するＨＤＤ１８１の容量制限に応じて、すなわちＨＤＤ１８１の記憶可能容量に応じて、録画番組をＨＤＤ１８１から消去する消去処理を行う。
【００７４】
より詳細には、録画消去判定／消去部４４は、ＨＤＤ１８１の空き容量および録画部４５から受けた録画情報に基づいて、ＨＤＤ１８１に保存されている録画済みの番組を消去すべきか否かを判断し、消去すべきと判断した番組に対応する放送パケットをＨＤＤ１８１から消去するとともに、当該番組に関する録画情報を録画ＤＢ５１から消去する。
【００７５】
録画予約部４６は、指定情報取得部として、番組に関するユーザの積極的な指定内容および消極的な指定内容の少なくともいずれか一方を示す指定情報を取得し、取得した指定情報を自己および録画消去判定／消去部４４の少なくともいずれか一方に与える。
【００７６】
すなわち、録画予約部４６は、取得した指定情報を自動録画設定情報ＤＢ５４に登録する。より詳細には、録画予約部４６は、リモコン信号受信部４１から受けた操作情報の示す番組のジャンルまたはキーワードを自動録画設定情報ＤＢ５４に登録する。
【００７７】
放送視聴／配信部４７および録画再生／配信部４８は、嗜好取得部として、番組を視聴中であるユーザの好みの指定を受け付け、当該好みを示す嗜好情報を録画予約部４６および録画消去判定／消去部４４の少なくともいずれか一方に与える。
【００７８】
すなわち、放送視聴／配信部４７および録画再生／配信部４８は、取得した嗜好情報を自動録画設定情報ＤＢ５４に登録する。
【００７９】
具体的には、放送視聴／配信部４７は、リモコン信号受信部４１から受けた操作情報またはＤＭＰ１７１から受信した情報が、当該番組が好みである旨のユーザの操作を示す場合、当該番組のジャンルまたはキーワードを積極ジャンルまたは積極キーワードとして自動録画設定情報ＤＢ５４に登録する。また、放送視聴／配信部４７は、リモコン信号受信部４１から受けた操作情報またはＤＭＰ１７１から受信した情報が、当該番組が好みでない旨のユーザの操作を示す場合、当該番組のジャンルまたはキーワードを消極ジャンルまたは消極キーワードとして自動録画設定情報ＤＢ５４に登録する。
【００８０】
また、録画再生／配信部４８は、ＤＭＰ１７１から受信した情報が、当該番組が好みである旨のユーザの操作を示す場合、当該番組のジャンルまたはキーワードを積極ジャンルまたは積極キーワードとして自動録画設定情報ＤＢ５４に登録する。また、録画再生／配信部４８は、ＤＭＰ１７１から受信した情報が、当該番組が好みでない旨のユーザの操作を示す場合、当該番組のジャンルまたはキーワードを消極ジャンルまたは消極キーワードとして自動録画設定情報ＤＢ５４に登録する。
【００８１】
録画予約部４６は、自動録画設定情報ＤＢ５４の登録内容に基づいて上述の選択処理を行う。具体的には、たとえば、録画予約部４６は、自動録画設定情報ＤＢ５４を参照し、視聴判定部４９から受けた判定情報の示す番組のうち、積極ジャンルに属する番組または積極キーワードを含む番組に関する情報を選択的に予約管理ＤＢ５３に登録する。
【００８２】
あるいは、たとえば、録画予約部４６は、自動録画設定情報ＤＢ５４を参照し、視聴判定部４９から受けた判定情報の示す番組のうち、消極ジャンルに属する番組または消極キーワードを含む番組に関する情報を予約管理ＤＢ５３の登録対象から除外する。
【００８３】
録画消去判定／消去部４４は、自動録画設定情報ＤＢ５４の登録内容に基づいて消去処理を行う。具体的には、たとえば、録画消去判定／消去部４４は、自動録画設定情報ＤＢ５４を参照し、ＨＤＤ１８１に保存されている録画済みの番組のうち、消極ジャンルに属する番組または消極キーワードを含む番組に対応する放送パケットを優先的にＨＤＤ１８１から消去するとともに、当該番組に関する録画情報を録画ＤＢ５１から消去する。
【００８４】
あるいは、たとえば、録画消去判定／消去部４４は、自動録画設定情報ＤＢ５４を参照し、ＨＤＤ１８１に保存されている録画済みの番組のうち、積極ジャンルに属する番組または積極キーワードを含む番組に対応する放送パケットを消去対象から除外する。
【００８５】
なお、録画消去判定／消去部４４は、放送視聴／配信部４７または録画再生／配信部４８によって取得された行為情報に基づいて消去処理を行う構成であってもよい。
【００８６】
具体的には、録画消去判定／消去部４４は、消去処理において、視聴番組管理ＤＢ５５を参照して、ユーザが１回または少数回視聴した番組を優先的にＨＤＤ１８１から削除し、ユーザが多数回視聴した番組をＨＤＤ１８１に残す。
【００８７】
また、録画消去判定／消去部４４は、たとえば、所定期間視聴されず、保護もされなかった番組を消去対象として選択する構成であってもよい。これにより、たとえば、ユーザが１話目を視聴したので自動録画された一方でユーザの興味が湧かなかった番組がＨＤＤ１８１に残ることを防ぐことができる。
【００８８】
図３は、本発明の実施の形態に係る視聴録画装置における各データベースの内容の一例を示す図である。
【００８９】
図３を参照して、視聴録画装置１０１は、録画番組のデータベースである録画ＤＢ５１、予約番組のデータベースである予約管理ＤＢ５３、放送番組のデータベースである番組情報ＤＢ５２、番組のジャンル指定またはキーワード指定のデータベースである自動録画設定情報ＤＢ５４、および番組の視聴状況のデータベースである視聴番組管理ＤＢ５５を有する。
【００９０】
具体的には、録画ＤＢ５１には、各番組の、コンテンツファイル名、番組タイトル、開始時間、終了時間、コンテンツ長および保護フラグが登録される。保護フラグは、ユーザが当該番組の自動消去を望まない場合にオンされるフラグである。
【００９１】
番組情報ＤＢ５２には、ＲＦ放送受信部４２またはＩＰ放送受信部４３によってストリームから取得されたＥＰＧに基づく番組表が登録される。
【００９２】
予約管理ＤＢ５３には、各番組の、番組タイトル、番組開始時間、番組終了時間、視聴開始時間、累積視聴時間、および自動／ユーザ指定フラグが登録される。なお、予約管理ＤＢ５３には、各番組の、チャンネル識別情報がさらに登録されてもよい。
【００９３】
自動／ユーザ指定フラグは、当該番組が録画予約部４６によって自動的に登録されたか、ユーザによる手動で登録されたかを示す。ユーザは、同時録画数の制限から新たな番組の録画予約ができない場合において、自動／ユーザ指定フラグを参照することにより、自動で予約された番組の録画をキャンセルすることができる。
【００９４】
自動録画設定情報ＤＢ５４は、積極ジャンル、積極キーワード、消極ジャンルおよび消極キーワードが登録される。
【００９５】
視聴番組管理ＤＢ５５には、各番組の、チャンネル識別情報、番組開始時間、番組終了時間、視聴開始時間および累積視聴時間が登録される。
【００９６】
［動作の流れ］
視聴録画装置１０１は、コンピュータを備え、当該コンピュータにおけるＣＰＵ等の演算処理部は、以下のフローチャートの各ステップの一部または全部を含むプログラムを図示しないメモリから読み出して実行する。このプログラムは、外部からインストールすることができる。このプログラムは、記録媒体に格納された状態で流通する。
【００９７】
図４は、本発明の実施の形態に係る視聴録画装置が予約録画番組を登録する際の動作手順を定めたフローチャートである。
【００９８】
図４を参照して、まず、処理部１２は、番組の視聴が開始されると（ステップＳ１）、視聴が開始された番組（以下、対象番組とも称する。）が録画ＤＢ５１に登録済みであるか否かを確認する（ステップＳ２）。
【００９９】
処理部１２は、対象番組が録画ＤＢ５１に登録済みである場合（ステップＳ２でＹＥＳ）、別の番組の視聴開始を待つ（ステップＳ１３）。
【０１００】
一方、処理部１２は、対象番組が録画ＤＢ５１に登録されていない場合（ステップＳ２でＮＯ）、視聴番組管理ＤＢ５５において古い番組が存在するか否かを確認し、存在する場合（ステップＳ３でＹＥＳ）、視聴番組管理ＤＢ５５から当該古い番組に関する情報を消去する（ステップＳ４）。
【０１０１】
これにより、たとえば、ユーザがチャンネルを変更した後、変更前のチャンネルに戻した状況において、当該チャンネルで次の番組が始まっている場合、不要となった前の番組の情報を消去することができる。また、ユーザがザッピングを行った場合、当該チャンネルでザッピング前の番組の放送が継続している場合、当該番組の情報を残すことができる。
【０１０２】
次に、処理部１２は、対象番組が視聴番組管理ＤＢ５５に登録されてない場合（ステップＳ５でＮＯ）、対象番組に関する情報を視聴番組管理ＤＢ５５に追加する。具体的には、処理部１２における放送視聴／配信部４７または録画再生／配信部４８は、対象番組のチャンネル識別情報、番組開始時間、番組終了時間および視聴開始時間を視聴番組管理ＤＢ５５に登録する（ステップＳ６）。
【０１０３】
一方、処理部１２は、たとえばユーザがザッピングを行っており、対象番組が視聴番組管理ＤＢ５５に登録済みである場合、視聴番組管理ＤＢ５５を更新しない（ステップＳ５でＹＥＳ）。
【０１０４】
次に、処理部１２は、ユーザのザッピングまたはコンテンツの終端を待ち（ステップＳ７）、いずれかの事象が発生した場合、視聴番組管理ＤＢ５５を更新する。具体的には、処理部１２における放送視聴／配信部４７または録画再生／配信部４８は、対象番組の累積視聴時間を視聴番組管理ＤＢ５５に登録する（ステップＳ８）。
【０１０５】
次に、処理部１２は、視聴番組管理ＤＢ５５に登録されている対象番組の情報に基づいて、ユーザによる対象番組の視聴を判定する。具体的には、処理部１２における視聴判定部４９は、ユーザが対象番組を実質的に視聴したか否かを判定する（ステップＳ９）。
【０１０６】
処理部１２は、ユーザが対象番組を実質的に視聴していないと判定した場合（ステップＳ９でＮＯ）、新たに番組の視聴が開始されるまで待つ（ステップＳ１）。なお、ユーザがザッピングを行った場合（ステップＳ７）、処理部１２は、新たな番組の視聴が開始されていることから、当該番組が録画ＤＢ５１に登録済みであるか否かを確認する（ステップＳ２）。
【０１０７】
一方、処理部１２は、ユーザが対象番組を実質的に視聴したと判定した場合（ステップＳ９でＹＥＳ）、上述のような選択処理を行う（ステップＳ１０）。
【０１０８】
次に、処理部１２は、録画意思確認処理を行う。具体的には、処理部１２は、たとえば「この番組を次回から自動で予約します」旨のダイアログボックスを表示装置に表示する処理を行い、ユーザの録画意思を確認する（ステップＳ１１）。
【０１０９】
次に、処理部１２は、ユーザの録画意思が肯定的である場合、対象番組を予約管理ＤＢ５３に追加する。たとえば、処理部１２は、対象番組が連続番組である場合、次の回以降の番組を予約管理ＤＢ５３に追加する。具体的には、録画予約部４６は、番組情報ＤＢ５２に登録されている番組表を参照し、判定情報の示す対象番組に関する情報を予約管理ＤＢ５３に登録し（ステップＳ１２）、新たな番組の視聴が開始されるまで待つ（ステップＳ１）。
【０１１０】
上記のような処理により、ユーザにおいて視聴後に面倒な操作を行うことなく、たとえばユーザの好みに合った次回以降の番組を自動で録画することができる。
【０１１１】
また、視聴番組管理ＤＢ５５を用いる構成により、ユーザがザッピングを行った場合でも、番組の視聴行為を正確に記録することができる。また、ユーザが選局を行うたびに視聴番組管理ＤＢ５５における古い番組の確認が行われる構成により、古い番組に関する情報の消去を簡易な処理で行うことができる。
【０１１２】
図５は、本発明の実施の形態に係る視聴録画装置が番組の自動録画を行う際の動作手順を定めたフローチャートである。
【０１１３】
図５を参照して、まず、処理部１２は、各種情報を取得する。より詳細には、たとえば、処理部１２は、リモコン１６１から受信した操作情報に基づいて指定情報を取得し、また、番組を再生または配信している状態において、累積視聴時間等の行為情報、および嗜好情報を取得する（ステップＳ２１）。
【０１１４】
次に、処理部１２は、番組を再生または配信している状態において、取得した行為情報に基づいて、視聴行為の判定処理を行う（ステップＳ２２）。
【０１１５】
次に、処理部１２は、判定処理の結果と、指定情報および嗜好情報すなわち自動録画設定情報ＤＢ５４の登録内容とに基づいて、録画番組の選択処理を行う（ステップＳ２３）。
【０１１６】
次に、処理部１２は、ダイアログボックスの表示等の自動録画の意思確認処理を行う（ステップＳ２４）。
【０１１７】
次に、処理部１２は、予約管理ＤＢ５３に登録された番組の録画処理を行う（ステップＳ２５）。
【０１１８】
次に、処理部１２は、ＨＤＤ１８１に録画された番組を出力する処理を行う（ステップＳ２６）。
【０１１９】
図６は、本発明の実施の形態に係る視聴録画装置が番組の自動消去を行う際の動作手順を定めたフローチャートである。
【０１２０】
図６を参照して、まず、処理部１２は、各種情報を取得する。より詳細には、たとえば、処理部１２は、リモコン１６１から受信した操作情報に基づいて指定情報を取得し、また、番組を再生または配信している状態において、嗜好情報を取得する（ステップＳ３１）。
【０１２１】
次に、処理部１２は、たとえば録画部４５から録画情報を受けて、取得した指定情報および嗜好情報、すなわち自動録画設定情報ＤＢ５４の登録内容に基づいて、消去番組を選択する（ステップＳ３２）。
【０１２２】
次に、処理部１２は、ＨＤＤ１８１に保存されている録画済みの番組のうち、選択した番組に対応する放送パケットをＨＤＤ１８１から消去するとともに、当該番組に関する録画情報を録画ＤＢ５１から消去する（ステップＳ３３）。
【０１２３】
なお、視聴録画装置１０１は、デジタル放送およびＩＰ放送を受信する構成であるとしたが、これに限定するものではない。視聴録画装置１０１は、デジタル放送およびＩＰ放送のいずれか一方を受信する構成であってもよいし、デジタル放送およびＩＰ放送の少なくともいずれか一方に加えて、あるいはデジタル放送およびＩＰ放送の代わりに、他の種類の放送を受信する構成であってもよい。
【０１２４】
視聴録画装置１０１は、放送番組のリアルタイム視聴、およびＤＬＮＡ配信による視聴を可能とする構成であるとしたが、これに限定するものではない。視聴録画装置１０１は、これらの視聴のいずれか一方を可能とする構成であってもよい。
【０１２５】
また、視聴録画装置１０１は、ダイアログボックスの表示等の録画意思確認処理を行う構成であるとしたが、これに限定するものではない。視聴録画装置１０１は、ダイアログボックスを表示する処理（図４のステップＳ１１）を行うことなく、対象番組を予約管理ＤＢ５３に追加する（図４のステップＳ１２）構成であってもよい。
【０１２６】
また、本発明の実施の形態に係る視聴録画装置では、録画予約部４６は、自動録画設定情報ＤＢ５４の登録内容に基づいて選択処理を行う構成であるとしたが、これに限定するものではない。録画予約部４６は、自動録画設定情報ＤＢ５４の登録内容を用いずに選択処理を行う構成であってもよい。
【０１２７】
また、本発明の実施の形態に係る視聴録画装置では、録画消去判定／消去部４４は、自動録画設定情報ＤＢ５４の登録内容に基づいて消去処理を行う構成であるとしたが、これに限定するものではない。録画消去判定／消去部４４は、自動録画設定情報ＤＢ５４の登録内容を用いずに消去処理を行う構成であってもよい。
【０１２８】
また、本発明の実施の形態に係る視聴録画装置では、視聴判定部４９は、番組のうちの視聴された割合に基づいて判定処理を行う構成であるとしたが、これに限定するものではない。視聴判定部４９は、たとえば番組の特定の部分を視聴したか否かに基づいて判定処理を行う構成であってもよい。
【０１２９】
また、本発明の実施の形態に係る視聴録画装置は、指定情報および嗜好情報を取得せず、自動録画設定情報ＤＢ５４を有さない構成であってもよい。また、視聴録画装置１０１は、指定情報および嗜好情報のいずれか一方を取得し、自動録画設定情報ＤＢ５４に登録する構成であってもよい。
【０１３０】
以上のように、本発明の実施の形態に係る視聴録画装置では、放送視聴／配信部４７または録画再生／配信部４８は、ユーザによる番組の視聴行為を示す行為情報を取得する。視聴判定部４９は、放送視聴／配信部４７または録画再生／配信部４８によって取得された行為情報に基づいて、ユーザによる番組の視聴を判定する判定処理を行う。録画予約部４６は、視聴判定部４９の判定結果に応じて、将来録画すべき番組を選択する。録画消去判定／消去部４４は、録画番組を保存するＨＤＤ１８１の容量制限に応じて録画番組をＨＤＤ１８１から消去する消去処理を行う。そして、録画再生／配信部４８は、ＨＤＤ１８１に保存された録画番組を出力する。
【０１３１】
このように、ユーザによる番組の視聴行為から当該番組の視聴行為を判定し、録画予約すべき番組を判定結果に応じて選択するとともに、記憶媒体の容量制限に応じて録画番組を削除する構成により、記憶媒体の容量制限がある中で、ある程度の録画の無駄を許容してユーザの操作の手間を軽減しながら、記憶容量を節約し、適切な番組を録画することができる。
【０１３２】
したがって、本発明の実施の形態に係る視聴録画装置では、番組の録画に関する優れた機能を実現することができる。
【０１３３】
また、本発明の実施の形態に係る視聴録画装置では、視聴行為は、放送波に含まれる番組の視聴行為、ＤＬＮＡ配信される番組の視聴行為、および再生される録画番組の視聴行為のうちの少なくともいずれか１つである。
【０１３４】
このような構成により、各種放送の視聴シーンにおいて、適切な番組を録画予約することができる。
【０１３５】
また、本発明の実施の形態に係る視聴録画装置では、視聴判定部４９は、番組のうちの視聴された割合に基づいて判定処理を行う。
【０１３６】
このような構成により、ユーザによる番組の視聴をより適切に判定することができる。
【０１３７】
また、本発明の実施の形態に係る視聴録画装置では、番組は、複数の区間に区分けされている。視聴判定部４９は、当該複数の区間の一部である対象区間のうちの視聴された割合に基づいて判定処理を行う。
【０１３８】
このような構成により、番組の各区間の内容の別を考慮した適切な視聴判定を行うことができる。
【０１３９】
また、本発明の実施の形態に係る視聴録画装置では、録画予約部４６は、番組に関するユーザの積極的な指定内容および消極的な指定内容の少なくともいずれか一方を示す指定情報を取得し、取得した指定情報を自己および録画消去判定／消去部４４の少なくともいずれか一方に与える。
【０１４０】
このような構成により、選択処理または消去処理を、たとえばジャンル指定またはキーワード指定に応じてより適切に行うことができる。
【０１４１】
また、本発明の実施の形態に係る視聴録画装置では、録画消去判定／消去部４４は、放送視聴／配信部４７または録画再生／配信部４８によって取得された行為情報に基づいて消去処理を行う。
【０１４２】
このような構成により、ユーザによる番組の視聴の判定結果に応じて、消去すべき録画番組をより適切に選択することができる。
【０１４３】
また、本発明の実施の形態に係る視聴録画装置では、放送視聴／配信部４７または録画再生／配信部４８は、番組を視聴中であるユーザの好みの指定を受け付け、当該好みを示す嗜好情報を録画予約部４６および録画消去判定／消去部４４の少なくともいずれか一方に与える。
【０１４４】
このような構成により、選択処理または消去処理を、ユーザからの好みの指定に応じてより適切に行うことができる。
【０１４５】
また、本発明の実施の形態に係る視聴録画装置では、視聴録画装置１０１は、録画番組のデータベース、予約番組のデータベース、放送番組のデータベース、番組のジャンル指定またはキーワード指定のデータベース、および番組の視聴状況のデータベースを有する。
【０１４６】
このように、各種データベースを用いる構成により、判定処理を含む各種処理を良好に行うことができる。
【０１４７】
また、本発明の実施の形態に係る放送受信方法では、まず、ユーザによる番組の視聴行為を示す行為情報を取得する。次に、取得した行為情報に基づいて、ユーザによる番組の視聴を判定する判定処理を行う。次に、判定結果に応じて、将来録画すべき番組を選択する。次に、録画番組を保存するＨＤＤ１８１の容量制限に応じて録画番組をＨＤＤ１８１から消去する消去処理を行う。次に、ＨＤＤ１８１に保存された録画番組を出力する。
【０１４８】
このように、ユーザによる番組の視聴行為から当該番組の視聴行為を判定し、録画予約すべき番組を判定結果に応じて選択するとともに、記憶媒体の容量制限に応じて録画番組を削除する方法により、記憶媒体の容量制限がある中で、ある程度の録画の無駄を許容してユーザの操作の手間を軽減しながら、記憶容量を節約し、適切な番組を録画することができる。
【０１４９】
したがって、本発明の実施の形態に係る放送受信方法では、番組の録画に関する優れた機能を実現することができる。
【０１５０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１５１】
以上の説明は、以下に付記する特徴を含む。
［付記１］
ユーザによる番組の視聴行為を示す行為情報を取得する行為情報取得部と、
前記行為情報取得部によって取得された前記行為情報に基づいて、前記ユーザによる番組の視聴を判定する判定処理を行う視聴判定部と、
前記視聴判定部の判定結果に応じて、将来録画すべき番組を選択する選択処理を行う録画番組選択部と、
録画番組を保存する記憶媒体の容量制限に応じて前記録画番組を前記記憶媒体から消去する消去処理を行う消去制御部と、
前記記憶媒体に保存された前記録画番組を出力する出力部とを備え、
前記番組は、連続番組であり、
前記視聴録画装置は、さらに、
番組に関するユーザの積極的な指定内容および消極的な指定内容の少なくともいずれか一方を示す指定情報を取得する指定情報取得部と、
番組を視聴中であるユーザの好みの指定を受け付け、前記好みを示す嗜好情報を取得する嗜好取得部とを備え、
前記録画番組選択部および前記消去制御部は、前記指定情報および前記嗜好情報の少なくともいずれか一方に基づいて前記選択処理および前記消去処理をそれぞれ行う、視聴録画装置。
【符号の説明】
【０１５２】
１１  受信部
１２  処理部
１３  記憶部
４１  リモコン信号受信部
４２  ＲＦ放送受信部
４３  ＩＰ放送受信部
４４  録画消去判定／消去部
４５  録画部
４６  録画予約部
４７  放送視聴／配信部
４８  録画再生／配信部
４９  視聴判定部
５１  録画ＤＢ
５２  番組情報ＤＢ
５３  予約管理ＤＢ
５４  自動録画設定情報ＤＢ
５５  視聴番組管理ＤＢ
１０１  視聴録画装置
１８１  ＨＤＤ
【図１】
2019134373.tif 000003
【図２】
2019134373.tif 000004
【図３】
2019134373.tif 000005
【図４】
2019134373.tif 000006
【図５】
2019134373.tif 000007
【図６】
2019134373.tif 000008